(57)【要約】【課題】インクが使い果たされた場合には、インクチューブだけを取り替え、ペン芯部をそのまま留保して使える、便利で資材を節約し得るローラボールペンを提供する。【解決手段】書写用のローラボールペン１０は、上部ペン軸１１１と下部ペン軸１１２とを螺合した中空のペン軸１１と、上部ペン軸の先端に形成された書写部１１３と、上部ペン軸の内部を貫通し尖端１２０を書写部から突出させて書写用に供するペン芯部１２と、を含んでいる。ペン芯部の後端には、インクチューブ１４を装着する連結部１３を形成し、インクチューブ内部に含まれるインクをペン芯部に供給して書写に供している。インクが使い果たされて空になったインクチューブは、ペン芯部から取り外されて新しいインクチューブと取り替えられ、ペン芯部全体を廃棄する必要がない。【選択図】図３
0003138729.tif 000002
【実用新案登録請求の範囲】
【請求項１】
書写用のローラボールペンにおいて、
上部ペン軸（１１１）と下部ペン軸（１１２）とを螺合した中空のペン軸（１１）と、
前記上部ペン軸（１１１）の先端に形成された書写部（１１３）と、
前記上部ペン軸（１１１）の内部を貫通し、尖端（１２０）を前記書写部（１１３）から突出させて、書写用に供するペン芯部（１２）と、を含み、
前記ペン芯部（１２）の後端に、インクチューブ（１４）を装着する連結部（１３）を形成し、前記インクチューブ（１４）内部に含まれるインクを前記ペン芯部（１２）に供給して書写に供し、インクが使い果たされて空になった前記インクチューブ（１４）は、前記ペン芯部（１２）から取り外されて新しいインクチューブ（１４）と取り替えられ、前記ペン芯部（１２）全体を廃棄する必要がないことを特徴とするローラボールペン。
【請求項２】
前記ペン芯部（１２）の前記連結部（１３）には装着座（１３１）が形成され、前記インクチューブ（１４）の前端には前記装着座（１３１）に対応して頭部（１４１）が形成され、前記インクチューブ（１４）の前記頭部（１４１）を前記装着座（１３１）内の装着用凹槽（１３２）と結合することによって、前記インクチューブ（１４）を前記連結部（１３）の前記装着座（１３１）に固定することを特徴とする請求項１に記載のローラボールペン。
【請求項３】
前記ペン芯部（１２）の前記装着座（１３１）の前端には、インクを吸収する吸収性の物質からなるインク吸収体（１５１）を含んだインク溜り（１５）が設けられ、前記インク溜り（１５）の後端の中心には、先端部が前記装着用凹槽（１３２）内で前記インクチューブ（１４）に向けて突出するインク供給管（１５２）が設けられ、前記インクチューブ（１４）を前記装着座（１３１）に取り付けると、前記インク供給管（１５２）の先端部が前記インクチューブ（１４）内に挿し込まれ、前記インク吸収体（１５１）によって、前記インクチューブ（１４）内のインクを前記インク溜り（１５）に吸収できることを特徴とする請求項２に記載のローラボールペン。
【請求項４】
前記ペン芯部（１２）内にはインク通路（１６）が、前記インク溜り（１５）の前端に取り付けられ、前記インク通路（１６）の先端はスチールボールを含んだペン先（１７）に形成され、書写の際前記スチールボールはその転がりにより、前記インク溜り（１５）から前記インク通路（１６）に導入されたインクを前記ペン先（１７）に供給することを特徴とする請求項３に記載のローラボールペン。
【考案の詳細な説明】
【技術分野】
【０００１】
本考案は、ローラボールペンに関し、特に、インクが空になったインクチューブだけを取り替えることが可能なローラボールペンに関する。
【背景技術】
【０００２】
図１は、ローラボールペンを示す概観図、図２は、従来のローラボールペンを示す分解図である。なお、図１において、従来のローラボールペンを示す部材番号には括弧を付してある。
【０００３】
図１および図２を参照して、従来のローラボールペン１は、上部ペン軸１０１と下部ペン軸１０２とを螺合した中空のペン軸１００を含んでいる。上部ペン軸１０１の先端には、書写に供する書写部が形成されている。ペン芯部１０５は、上部ペン軸１０１を貫通して、その尖端１０４が書写部から突出され、書写するようになっている。符号１０３は、上部ペン軸１０１を保護するペンキャップを示している。
【０００４】
インクは、ペン芯部１０５に封入されている。インクが使い果たされと、ペン芯部１０５全体が、新たなペン芯部１０５に取り替えられる。
【考案の開示】
【考案が解決しようとする課題】
【０００５】
従来のローラボールペン１にあっては、インクが使い果たされと、まだ使用可能な状態にあるペン芯部１０５全体を一緒に取り替えなければならないため、資材の浪費となり、また不便でもある。従来品におけるこのような顕著な欠点は改善する必要がある。
【０００６】
上記の事情に鑑み、このような欠点を改善するために、本願の考案者は長年この方面の技術に従事してきた経験に基づき、幾多の研鑽と試験を積み重ねた結果、従来の欠点を改善できる本考案を開発するに至ったのである。
【０００７】
本考案の目的は、インクが使い果たされた場合には、インクチューブだけを取り替え、ペン芯部をそのまま留保して使える、便利で資材を節約し得るローラボールペンを提供することにある。
【課題を解決するための手段】
【０００８】
上記の目的を達成するための本考案は、書写用のローラボールペンにおいて、
上部ペン軸と下部ペン軸とを螺合した中空のペン軸と、
前記上部ペン軸の先端に形成された書写部と、
前記上部ペン軸の内部を貫通し、尖端を前記書写部から突出させて、書写用に供するペン芯部と、を含み、
前記ペン芯部の後端に、インクチューブを装着する連結部を形成し、前記インクチューブ内部に含まれるインクを前記ペン芯部に供給して書写に供し、インクが使い果たされて空になった前記インクチューブは、前記ペン芯部から取り外されて新しいインクチューブと取り替えられ、前記ペン芯部全体を廃棄する必要がないことを特徴とするローラボールペンである。
【考案の効果】
【０００９】
本考案に係るローラボールペンにあっては、インクが使い果たされた場合には、インクチューブだけを取り替え、ペン芯部をそのまま残して使えるから、ペン芯部全体を一緒に取り替える場合に比べて資材の節約になり、かつ使用も便利なものとなる。
【考案を実施するための最良の形態】
【００１０】
以下、図面を参照して、本考案の実施形態について説明する。
【００１１】
図３は、本考案に係るローラボールペンを示す分解図、図４は、本考案に係るローラボールペンのペン芯部を示す分解図、図５は、本考案に係るローラボールペンの連結部に新しいインクチューブ１４を挿入した状態を示す説明図、図６は、本考案に係るローラボールペンの要部における各部品を示す断面図である。
【００１２】
図３から図６を参照して、本考案に係るローラボールペン１０の中空のペン軸１１は、螺合された上部ペン軸１１１と下部ペン軸１１２とよりなっている。上部ペン軸１１１の先端には、書写部１１３が形成されている。上部ペン軸１１１の内部を貫通したペン芯部１２の尖端１２０を書写部１１３から突出させて、書写用に供されている。上部ペン軸１１１は、ペンキヤップ１１４が着脱自在に取り付けられて保護される。ペン芯部１２の後端には、連結部１３が形成され、インクチューブ１４がそれに取り付けられている。使用に際しては、重力を利用して、インクチューブ１４の中に含まれたインクを下方に位置するペン芯部１２に流し、書写に供している。
【００１３】
このような構成でローラボールペン１０のインクが使い果たされると、上部ペン軸１１１から空になったインクチューブ１４を取り外し、新しいインクチューブ１４と取り替えればよく、ペン芯部１２全体を取り替える必要がない。ペン芯部１２全体を廃棄する必要がないので、資材の節約になる。
【００１４】
また図６を参照して、ペン芯部１２の連結部１３には、装着座１３１が形成されている。インクチューブ１４の前端には、装着座１３１に対応して頭部１４１が設けられている。装着座１３１には装着用凹槽１３２が設けられ、インクチューブ１４の頭部１４１と結合自在となっている。インクチューブ１４を装着するとき、その頭部１４１は装着座１３１に挿し込まれ、しっかりと保持され固定される。
【００１５】
さらに図６を参照して、装着座１３１の前端には、インクを吸収する吸収性の物質からなるインク吸収体１５１を含んだインク溜り１５が設けられ、インクを吸収している。また、インク溜り１５の後端の中心には、先端部が装着用凹槽１３２内でインクチューブ１４に向けて突出するインク供給管１５２が設けられている。このような構成で、インクチューブ１４が装着座１３１に取り付けられれば、インク供給管１５２はその先端部がインクチューブ１４内に挿し込まれ、インクチューブ１４内のインクは、インク吸収体１５１により、インク溜り１５の中に吸収される。
【００１６】
さらにまた図６を参照して、ペン芯部１２の中にはインク通路１６が、インク溜り１５の前端に取り付けられている。インク通路１６の先端はスチールボール（未図示）を含んだペン先１７に形成されている。書写の際スチールボールはその転がりにより、インク溜り１５からインク通路１６に導入されたインクをペン先１７に円滑に供給する。
【００１７】
以上説明したように、本実施形態に係るローラボールペン１０は、インクチューブ１４の中のインクが使い果たされた場合には、インクチューブ１４だけを取り替え、ペン芯部１２はそのまま残して使えるから、ペン芯部１０５の全体を一緒に取り替えていた従来のローラボールペン１に比べて資材の節約になり、かつ使用も便利なものとなる。
【００１８】
なお、上述した実施形態は、本考案のローラボールペンを具体的に説明するためのものであり、本考案の範囲を制限するためのものではない。本考案の技術精神を逸脱せずになされた同等効果の実施または変更は、すべて本考案の実用新案登録請求の範囲内に含まれるものと理解されなければならない。
【図面の簡単な説明】
【００１９】
【図１】ローラボールペンを示す概観図である。
【図２】従来のローラボールペンを示す分解図である。
【図３】本考案に係るローラボールペンを示す分解図である。
【図４】本考案に係るローラボールペンのペン芯部を示す分解図である。
【図５】本考案に係るローラボールペンの連結部に新しいインクチューブを挿入した状態を示す説明図である。
【図６】本考案に係るローラボールペンの要部における各部品を示す断面図である。
【符号の説明】
【００２０】
１、１０        ローラボールペン、
１１、１００    ペン軸、
１０１、１１１  上部ペン軸、
１０２、１１２  下部ペン軸、
１１３          書写部、
１０３、１１４  ペンキャップ、
１２    ペン芯部、
１３    連結部、
１３１  装着座、
１３２  装着用凹槽、
１４    インクチューブ、
１４１  インクチューブの頭部、
１５    インク溜り、
１５１  インク吸収体、
１５２  インク供給管、
１６    インク通路、
１７    ペン先。
【図１】
0003138729.tif 000003
【図２】
0003138729.tif 000004
【図３】
0003138729.tif 000005
【図４】
0003138729.tif 000006
【図５】
0003138729.tif 000007
【図６】
0003138729.tif 000008